(57)【要約】【課題】複数の記録媒体に格納された放送素材を番組として送出する番組送出システムにおいて、該番組を構成する放送素材の内容が格納された位置を、一目で確認できるようにし、迅速に、必要とする放送素材の内容が取り出せるようにし、作業効率をより向上させる。【解決手段】映像信号または音声信号あるいは映像信号と音声信号とが同期する映像音声信号よりなる、１または複数の放送素材により構成される番組（プログラム）に関する番組構成情報を有し、該番組構成情報を表示する番組送出システムに用いられる番組構成情報表示方法において、上記番組を構成する複数の放送素材間の結合関係を、放送素材の記録形態および記録媒体に応じて色分けした図形でもって表示する。【選択図】図１
2005020764.tif 000002
【特許請求の範囲】
【請求項１】
映像信号または音声信号あるいは映像信号と音声信号とが同期する映像音声信号よりなる１または複数の放送素材によって構成される番組（プログラム）に関する番組構成情報を有し、該番組構成情報をモニタ上に表示する番組送出システムに用いられる番組構成情報表示方法において、上記モニタ上に編集プレビュー画面とタイムライン形式ＧＵＩ（Ｇｒａｐｈｉｃａｌ  Ｕｓｅｒ  Ｉｎｔｅｒｆａｃｅ）と上記映像信号のトラックと上記音声信号のトラックを表示し、上記映像信号のトラックと上記音声信号のトラックは色分けして表示することを特徴とする番組構成情報表示方法。
【請求項２】
映像信号または音声信号あるいは映像信号と音声信号とが同期する映像音声信号よりなる、１または複数の放送素材によって構成される番組に関する番組構成情報を表示する番組送出システムにおいて、上記番組構成情報を表示する表示手段を有し、該表示手段に少なくとも編集プレビュー画面とタイムライン形式ＧＵＩ（Ｇｒａｐｈｉｃａｌ  Ｕｓｅｒ  Ｉｎｔｅｒｆａｃｅ）と上記映像信号のトラックと上記音声信号のトラックを表示し、上記映像信号のトラックと上記音声信号のトラックは色分けして表示することを特徴とする番組送出システム。
【発明の詳細な説明】
【技術分野】
【０００１】
本発明は、１または複数の記録媒体あるいは１または複数の記録形態ごとに格納された、複数の放送素材により構成された番組を送出するための番組送出システムにおける、番組を構成する複数の放送素材間の結合関係を表示する手段に関するものである。
【背景技術】
【０００２】
図２に、従来の番組送出システムのブロック構成例を図示する。例えば、ＣＭ（コマーシャル・メッセージ）を番組として放送する場合の、従来の番組送出システムの動作方法について、この図を用いて説明する。ＶＴＲテープ２０、音声テープ２１、静止画記録媒体２２とからなるＣＭ用の放送素材（ＣＭ素材）２５は、例えば、ＣＭのスポンサーやＣＭ製作会社等により製作される。そのＣＭ素材２５のうちＶＴＲテープ２０からは、図示していないＶＴＲ（ビデオ・テープ・レコーダ）を介して映像音声信号が再生出力される。また、音声テープ２１からは、テープ・レコーダ（図示せず）を介して音声信号が再生出力される。さらに、静止画記録媒体２２からは、記録媒体駆動装置（図示せず）を介して映像信号が再生出力される。なお、ある一つの静止画像の映像信号が静止画記録媒体２２から出力される場合には、例えば、１フレーム分の映像信号が出力される。
【０００３】
上述の再生出力された映像信号または音声信号あるいは映像音声信号は、それぞれ編集装置２３に入力される。編集装置２３では、それら入力された各信号が所定のタイミングで編集され、その編集結果の映像音声信号が編集装置２３から出力される。その出力された映像音声信号は、図示していないＶＴＲ（ビデオ・テープ・レコーダ）を介して、マザーＶＴＲテープ２４に記録される。
【０００４】
以上のように、ある番組の内容を表す映像音声信号が一本のテープ、すなわち、マザーＶＴＲテープ２４に、複数の放送素材を基にそれぞれが所望の時間的配置でもって編集され記録される。従って、一つの番組、すなわちこの例では一つのＣＭに対して、ＣＭ素材２５を基として、１本のマザーＶＴＲテープ２４が作成される。そのため、この従来例の番組送出システムにおいては、ＣＭの本数分のマザーＶＴＲテープ２４が複数作成される。
【発明の開示】
【発明が解決しようとする課題】
【０００５】
上述の従来の技術を用いた番組送出システムでは、放送予定の番組のうち一部分の映像や音声を変更する場合は、再度マザーＶＴＲテープを作成する必要があるので、ＣＭ素材から再生出力された信号を編集装置が編集しなおす必要がある。そのため、その番組を構成する放送素材が、多数保管された放送素材の中から選択され取り出される必要があり、その選択に多大な手間を要する場合がある。
【０００６】
本発明は、番組を構成する放送素材の内容が格納された位置を一目で確認できるようにし、迅速に、必要とする放送素材の内容を取り出せるようにすることを目的とする。
【課題を解決するための手段】
【０００７】
上記の課題を解決するために、本発明は、映像信号または音声信号あるいは映像信号と音声信号とが同期する映像音声信号からなる１または複数の放送素材によって構成される番組（プログラム）に関する番組構成情報を有し、該番組構成情報を表示する番組送出システムに用いられる番組構成情報表示方法において、上記番組を構成する複数の放送素材間の結合関係をモニタ上に表示するものである。
【０００８】
また、本発明は、上記各放送素材の視覚素材部分と聴覚素材部分ごとに、上記各素材部分の放送時間長に応じた表示幅を有する第１の図形をモニタ上に表示し、上記各放送素材の視覚素材部分と聴覚素材部分に対応する上記第１の図形をそれぞれ上記各放送素材の放送順序に応じた配置でもって並べて表示することより、上記複数の放送素材間の結合関係が表されるようにするものである。
【０００９】
また、本発明は、上記第１の図形を、上記各放送素材の記録形態または記録媒体に応じて色分けして表示するものである。
さらに本発明は、映像信号または音声信号あるいは映像信号と音声信号とが同期する映像音声信号よりなる、１または複数の放送素材により構成される番組に関する番組構成情報を表示する番組送出システムにおいて、上記映像音声信号を記録する第１の記録手段（ビデオサーバ）と、上記音声信号を記録する第２の記録手段（音声ファイル）と、上記映像信号を記録する第３の記録手段（静止画ファイル）とを有し、上記第１の図形の色あるいは該第１の図形の一部の色を、上記第１の記録手段または上記第２の記録手段または上記第３の記録手段ごとに異ならせるようにしたものである。
【００１０】
本発明の作用としては、番組を構成する放送素材の視覚素材部分または聴覚素材部分ごとに、例えば、どの記録手段に記憶されているか等の構成情報が、表示装置に表示された各部分に対応する第１の図形の色、大きさ、配置により迅速に確認することができる。
【発明の効果】
【００１１】
本発明は、番組を構成する放送素材の内容が格納された位置を一目で確認できるようにし、迅速に必要とする放送素材の内容を取り出して、編集しまたは確認すことができる。さらに、番組を構成する放送素材の視覚素材または聴覚素材ごとに、それぞれ番組中のどの部分が、例えば、第１の記録手段から第３の記録手段までのうちのいずれに記憶された素材により構成されているか等の構成情報が、表示装置に表示された各部分に対応する図形の色、大きさ、配置または文字列により迅速に確認することができる。
【発明を実施するための最良の形態】
【００１２】
以下、この発明の実施例について、図を用いて説明する。図３は、本発明に関わる番組送出システムの一実施例のブロック構成を示す図である。上述した図２と同様に図３において、ＣＭ素材２５のうちＶＴＲテープ２０からは、ＶＴＲ（図示せず）を介して、映像音声信号が再生出力される。また、音声テープ２１からは、テープ・レコーダ（図示せず）を介して、音声信号が再生出力される。さらに、静止画記録媒体２２からは、記録媒体駆動装置（図示せず）を介して、映像信号が再生出力される。
【００１３】
ＶＴＲテープ２０から再生出力された映像音声信号は、ビデオサーバ３０に入力され記録される。また、音声テープ２１から再生出力された音声信号は、音声ファイル３１に入力され記録される。さらに、静止画記録媒体２２から再生出力された映像信号は、静止画ファイル３２に入力され記憶される。
【００１４】
ビデオサーバ３０、音声ファイル３１、静止画ファイル３２は共にランダムアクセス可能な記録読み出しを行う記録装置であり、所定の時刻から、所定の内容の信号を所定の順序および間隔で出力することができる。そのため、複数の番組の放送素材が順不動に記録されていたとしても、それら記憶装置からは、それら記憶されている放送素材の内容が所望の順序で出力される。
【００１５】
ところで、上述した所望の順序で放送素材の内容が出力されるために、番組ごとの放送素材の送出順序に関する送出制御情報が端末装置３４で生成される。また、複数の番組どうしの放送順序の情報は、送出リストとして、コンピュータ３５から出力されシステム制御器３３に入力される。
【００１６】
そして、番組送出時には、上記送出リストおよび送出制御情報の二つに基づいて、システム制御器３３がビデオサーバ３０、音声ファイル３１、静止画ファイル３２を適宜制御する。その結果、それら記録装置から出力される各信号がシステム制御器３３に入力され、その入力された各信号が上記送出リスト及び送出制御情報に基づいたタイミングおよび組合せでもって合成されることで、番組放送内容に合ったごとくに合成された信号が映像信号出力及び音声信号出力として後段（図示せず）へ出力される。
【００１７】
また、端末装置３４の有する表示装置（モニタ）では、送出制御情報を基に、各番組ごとの番組構成を表わす表示がなされる。その表示例を、図１を用いて説明する。図１は、本発明の表示方法を用いた表示画面の一例を示した図である。
【００１８】
この図において、１は番組の情報を表示する画面、２は連続して放送される一連の番組集合の放送開始予定時刻を表わす時刻表示、３は番組の放送時間を表わす時間表示である。４は番組に関連する情報で、この例では、ＣＭである番組のスポンサー（広告主）の名が表示される。５は、４と同様に番組に関連する情報で、この例では、ＣＭである番組の内容が表示される。６は、本発明に関わる、番組ごとの放送素材の構成情報を示す表示図形である。
【００１９】
上述の１から６の、各番組ごとの情報は、図１に例示するように一行ごとに並べて表示される。従って、一覧で複数のＣＭ（番組）の情報が確認でき、より迅速に番組の構成情報の内容を確認できる。
【００２０】
図１における表示図形６を拡大して、より判り易くした図について、図４を用いてさらに詳しく説明する。図４において、番組ごとの放送素材の構成情報を示す表示図形（以下、構成情報表示図形と称す）６の上半分を占める表示領域４０および表示領域４２は、放送素材のうちの視覚素材部分の構成情報を表わしている。また、下半分を占める表示領域４１および表示領域４３は、放送素材のうちの聴覚素材部分の構成情報を表わしている。各表示領域の横の長さは、番組における各部分の放送時間に応じた長さで表示されている。
【００２１】
ここで、例えば、ＣＭ素材２５は自動車のＣＭ用の放送素材であるとする。その場合、図４に示すＣＭ構成部分のうち、左側に示す前半部分（表示領域４０、４１）は、ビデオサーバ３０に記録された、例えば全国共通に放送されるべき自動車本体の宣伝内容についての映像音声信号部分に応じた表示領域とする。また、図４の右側に示す後半部分の視覚部分（表示領域４２）は、静止画ファイル３２に記録された、例えば放送地域独自の自動車販売会社についての静止画に応じた表示領域とする。さらに、図４の後半部分の聴覚部分（表示領域４３）は、音声ファイル３１に記録された、例えば放送地域独自の自動車販売会社についての音声信号部分に応じた表示領域とする。
【００２２】
これら表示領域は、対応する記憶装置の種類に応じた表示色でもってそれぞれ表示される。例えば、ビデオサーバ３０に応じた表示領域４０および表示領域４１では、図に示すように白抜きで表示される。また、静止画ファイル３２に応じた表示領域４２では、斜線がかけられて表示される。さらに、音声ファイル３１に応じた表示領域４３では、網目模様がかけられて表示される。このようにすることで、色別によってどの部分がどの記憶装置に応じた番組素材なのかが即座に確認することができる。
【００２３】
番組ごとの構成情報表示図形６の組み合わせ例は、放送素材の組み合わせ方法により幾通りもの例が考えられる。例えば図７では、ＣＭのすべての視覚素材部分と聴覚素材部分とが、ビデオサーバより送出される場合の、構成情報表示図形が示されている。また図８では、３０秒間のＣＭ番組において前半の１５秒間については聴覚素材部分が音声ファイルから送出され、後半の１５秒間についてはビデオサーバから送出される。視覚素材部分は３０秒間すべてについてビデオサーバから送出される場合の構成情報表示図形例が示されている。
【００２４】
本発明の別の実施例としては、構成情報表示図形６に代わって、文字によって情報表示を行う例がある。この実施例を図５を用いて説明する。図５の符号１〜５は、図１におけるものと同様であり、ここでは説明を省略する。文字情報５１は、ＣＭそれぞれを構成するＣＭ素材がどこに格納されているかが、記録装置名を表す文字列の組み合わせによって表示される。ここで「ＢＶＳ」はビデオサーバ３０、「静止画」は静止画ファイル３２、「音声」は音声ファイル３１を表す。これにより、色別にした実施例の場合よりも、各放送素材の記憶された記憶装置名の確認がより容易となる。しかしながら、この表示方法では、文字列の配置や長さが必ずしも番組素材の順序や期間と一致していないため、各素材間の結合関係については表示できずに不明となる場合がある。
【００２５】
また、本発明に係わる番組送出システムでは、ＣＭ素材内容を確認するためにＣＭの各シーンを代表する静止画を取得する手段を設けてもよい。この取得される静止画は、静止画ファイルに格納されている静止画だけではなく、上記取得手段が一回ＣＭを再生させ、その再生映像の中から取り込まれたいくつかの代表映像を含み、それらを合わせたものを、ＣＭ内容をあらわす静止画（以下、代表画面と称す）として保存したものである。該代表画面を表示することによって、編集済みの一本のＣＭの映像を再生表示することに代え、簡便にＣＭの内容を確認することが可能となる。この代表画面を表示した例を図６に示めす。図６において、１本のＣＭにおける複数の代表画面６１が表示される。このとき代表画面６１に応じた放送素材が、どの記憶装置に格納されているかがわかるように、それぞれの代表画面画像の下に、それらと横方向の位置が一致するように、上述した本発明の表示図形６と同様に色分けされた表示図形６２を表示する。このことにより、番組の構成内容を代表画像と関連づけて表示することで、より迅速に、かつ、詳細に番組内容の確認を行うことができる。
【図面の簡単な説明】
【００２６】
【図１】発明に関わる番組構成情報表示方法を用いた表示画面の一例を示す図
【図２】従来の番組送出システムのブロック構成例を示した図
【図３】本発明に関わる番組送出システムの一実施例のブロック構成を示す図
【図４】図１における表示図形６を拡大して表した図
【図５】本発明に関わる番組構成情報表示方法を用いた表示画面の一例を示す図
【図６】本発明に関わる番組構成情報表示方法を用いた表示画面の一例を示す図
【図７】図１における表示図形６の組み合わせの一例を拡大して表した図
【図８】図１における表示図形６の組み合わせの他の一例を拡大して表した図
【符号の説明】
【００２７】
１ 番組の情報を表示する画面、２ 時刻表示、３ 時間表示、４、５ 番組に関連  する情報、６ 表示図形、２０ ＶＴＲテープ、
２１ 音声テープ、２２ 静止画記録媒体、２５ ＣＭ素材、３０ ビデオサーバ、  ３１ 音声ファイル、３２ 静止画ファイル、３３ システム制御器、３４ 端末、  ３５ コンピュータ
【図１】
2005020764.tif 000003
【図２】
2005020764.tif 000004
【図３】
2005020764.tif 000005
【図４】
2005020764.tif 000006
【図５】
2005020764.tif 000007
【図６】
2005020764.tif 000008
【図７】
2005020764.tif 000009
【図８】
2005020764.tif 000010
【手続補正書】
【提出日】平成16年8月3日(2004.8.3)
【手続補正１】
【補正対象書類名】特許請求の範囲
【補正対象項目名】請求項１
【補正方法】変更
【補正の内容】
【請求項１】
映像信号または音声信号あるいは、映像信号と音声信号とが同期する映像音声信号よりなる１または複数の放送素材によって構成される番組（プログラム）に関する番組構成情報を有し、該番組構成情報をモニタ上に表示する番組送出システムに用いられる番組構成情報表示方法において、上記モニタ上に上記映像信号のトラックまたは上記音声信号のトラックの少なくとも１つを放送地域毎に色分けして表示することを特徴とする番組構成情報表示方法。
【手続補正２】
【補正対象書類名】特許請求の範囲
【補正対象項目名】請求項２
【補正方法】変更
【補正の内容】
【請求項２】
映像信号または音声信号あるいは、映像信号と音声信号とが同期する映像音声信号よりなる１または複数の放送素材によって構成される番組に関する番組構成情報を表示する番組送出システムにおいて、上記番組構成情報を表示する表示手段を有し、該表示手段に少なくとも映像信号のトラックと上記音声信号のトラックを表示し、上記映像信号のトラックまたは上記音声信号のトラックの少なくとも１つに上記放送素材が格納されている装置を文字列の組合せにより表示することを特徴とする番組送出システム。